(57)【要約】【課題】高価なスチレンガス不透過性フィルムの使用を最小限としたＳＭＣシ−トであり、かつ、製造から熟成及び成形に使用される直前までの収納法に工夫を加えたものであり、スチレンガスの放散が著しく低下したものである。【解決手段】一方面がスチレンガス透過性フィルムであり、他方面がスチレンガス不透過性フィルムで覆われたＳＭＣシ−トを収納するに際して、ＳＭＣシ−トを収納箱内につづら折りに、かつ、最上面にスチレンガス不透過性フィルムが来るように折り込まれ、収納箱の上面を当該スチレンガス不透過性フィルムにて覆ったＳＭＣシ−トの収納法。１‥ＳＭＣシ−ト、２‥ＳＭＣ、３‥キャリアフィルム（スチレンガス透過性フィルム）、４‥キャリアフィルム（スチレンガス不透過性フィルム）、２０‥ＳＭＣシ−ト収納箱、２１‥スチレンガス不透過性フィルム。【選択図】図３
2007175880.tif 000002
【特許請求の範囲】
【請求項１】
両面をフィルムにて覆われたＳＭＣシ−トにおいて、フィルムの一方がスチレンガス透過性フィルムであり、フィルムの他方がスチレンガス不透過性フィルムであることを特徴とするスチレン放散量を低減したＳＭＣシ−ト。
【請求項２】
前記スチレンガス不透過性フィルムが、ポリアミド、ポリビニルアルコ−ル、ポリエチレンテレフタレ−ト、及びこれらの層を含む多層フィルムである請求項１記載のＳＭＣシ−ト。
【請求項３】
一方面がスチレンガス透過性フィルムであり、他方面がスチレンガス不透過性フィルムで覆われた請求項１に記載のＳＭＣシ−トを収納するに際して、ＳＭＣシ−トを収納箱内につづら折りに、かつ、最上面にスチレンガス不透過性フィルムが来るように折り込まれ、収納箱の上面を当該スチレンガス不透過性フィルムにて覆ったことを特徴とするＳＭＣシ−トの収納法。
【請求項４】
一方面がスチレンガス透過性フィルムであり、他方面がスチレンガス不透過性フィルムで覆われた請求項１に記載のＳＭＣシ−トを収納するに際して、ＳＭＣシ−トをロ−ル巻きに、かつ、ロ−ルの最上面にスチレンガス不透過性フィルムが来るように巻き込まれ、ロ−ルの最上面を当該スチレンガス不透過性フィルムにて覆ったことを特徴とするＳＭＣシ−トの収納法。
【発明の詳細な説明】
【技術分野】
【０００１】
本発明は、スチレン放散量を低減したシ−トモ−ルディングコンパウンド（以下、ＳＭＣという）シ−ト及びその収納法に関するものである。
【背景技術】
【０００２】
ＳＭＣは、防水パン、浴槽、水槽用パネル等の繊維強化プラスチック成形品の成形材料として広く用いられているところであるが、製造直後のＳＭＣは比較的粘度が低く取扱いが難しいため、一定期間熟成され、増粘されて用いられるのが一般的である。しかるに、この熟成期間中にＳＭＣ内よりスチレンガスが放散する。かかるスチレンガスの放散は作業者に悪影響を与えるだけでなく、その後のＳＭＣの性状にも大きく影響し、例えば、ＳＭＣのポットライフが短くなったり、成形品の色が変わったり、成形性の低下等の変質がもたらされる。
【０００３】
そして、ＳＭＣシ−トはキャリアフィルムにて両面が覆われているが、このフィルムは通常はスチレンガス透過性のフィルムが用いられており、その放散を防止することはできず、従って、スチレンガス不透過性のフィルムを両面より覆う方法も考えられている（特許文献１）。しかるに、キャリアフィルムにはいくつもの特性が要求され、特に、耐引裂強度、耐溶媒膨潤性、ＳＭＣ剥離性等が要求されるが、これらを満たすために多積層フィルムとなり、製品として高価なものとなり、実用的でない。
【０００４】
【特許文献１】特開昭４８−５１０６５号公報
【０００５】
そして、場合によってはスチレンガス不透過性フィルムによって形成される袋内にＳＭＣシ−トをつづら折りに納められ、これを収納箱に入れられて熟成されるが、これによっても袋の封止は十分ではなく、コストアップともなる（特許文献２）。
【０００６】
【特許文献２】特開平１１−３４２５１１号公報
【発明の開示】
【発明が解決しようとする課題】
【０００７】
本発明は、上記のような従来の技術に鑑みてなされたものであり、ＳＭＣシ−トを得るに当たって、スチレンガスの放散が低減され、かつ収納性にも優れたＳＭＣシ−トを提供する。
【課題を解決するための手段】
【０００８】
発明の第１の要旨は、その両面をフィルムにて覆われたＳＭＣシ−トにおいて、フィルムの一方がスチレンガス透過性フィルムであり、フィルムの他方がスチレンガス不透過性フィルムであることを特徴とするスチレン放散量を低減したＳＭＣシ−トにかかるものである。
【０００９】
発明の第２の要旨は、一方面がスチレンガス透過性フィルムであり、他方面がスチレンガス不透過性フィルムで覆われた請求項１に記載のＳＭＣシ−トを収納するに際して、ＳＭＣシ−トを収納箱内につづら折りに、かつ、最上面にスチレンガス不透過性フィルムが来るように折り込まれ、収納箱の上面を当該スチレンガス不透過性フィルムにて覆ったことを特徴とするＳＭＣシ−トの収納法にかかるものである。
【００１０】
発明の第３の要旨は、一方面がスチレンガス透過性フィルムであり、他方面がスチレンガス不透過性フィルムで覆われた請求項１に記載のＳＭＣシ−トを収納するに際して、ＳＭＣシ−トをロ−ル巻きに、かつ、ロ−ルの最上面にスチレンガス不透過性フィルムが来るように巻き込まれ、ロ−ルの最上面を当該スチレンガス不透過性フィルムにて覆ったことを特徴とするＳＭＣシ−トの収納法にかかるものである。
【発明の効果】
【００１１】
本発明は以上の通りであり、高価なスチレンガス不透過性フィルムの使用を最小限としたＳＭＣシ−トであり、かつ、製造から熟成及び成形に使用される直前までの収納法に工夫を加えたものであり、スチレンガスの放散が著しく低下したものである。
【発明を実施するための最良の形態】
【００１２】
本発明は、スチレンガスの放散を防止したＳＭＣシ−ト及びこの収納法にかかり、安価な手段でスチレンガスの放散を防止し、しかも廉価な収納法を提供するものである。ＳＭＣシ−トは上下のキャリアフィルムに挟まれた状態でＳＭＣシ−トが得られるため、これらキャリアフィルムには、耐引裂強度、耐溶媒膨潤性、ＳＭＣ剥離性等が要求されると共に、価格が廉価であることが要求される。
【００１３】
スチレンガス不透過性フィルムの例としては、ポリアミド、ポリビニルアルコ−ル、ポリエチレンテレフタレ−ト、ＥＶＡ等のフィルムがあるが、各要求を充足するものとして、例えばポリエチレン／ポリエチレンテレフタレ−ト／ポリエチレンによる３層構造のフィルムが挙げられる。
【００１４】
第１発明にあっては、ポリエチレンやポリプロピレン等のスチレンガス透過性フィルムとの組み合わせでＳＭＣシ−トを両面から覆ったものであり、これによってコストの低減とスチレンガスの放散を低減したもので、具体的にはスチレンガス不透過フィルム側を空気に触れる側としてつづら折りして収納するＳＭＣシ−トである。
【００１５】
そして、第２発明にあっては、収納箱内に配置されたスチレンガス不透過性フィルムとかかるＳＭＣシ−トの最上位のスチレンガス不透過フィルムとの間を接着してＳＭＣシ−ト全体を大気と遮断してしまう収納法である。スチレンガスの放散を完全に防止する袋体を得るには極めてコストが高くつくが、本発明の方法では比較的安価な収納法が提供できたものである。
【００１６】
そして、第３発明にあっては、ロ−ル巻きとしたＳＭＣシ−トの最外面をスチレンガス不透過性フィルムとしたものであり、これによってＳＭＣシ−ト全体を大気と遮断してしまう収納法である。スチレンガスの放散を完全に防止する袋体を得るには極めてコストが高くつくが、本発明の方法では比較的安価な収納法が提供できたものである。
【実施例】
【００１７】
以下、図面をもって本発明を更に詳細に説明する。図１は第１発明のＳＭＣシ−トの断面図であり、１はＳＭＣシ−ト、２はＳＭＣ、３、４はキャリアフィルムであり、特に、３はポリエチレンフィルム（スチレンガス透過性フィルム）、４はポリエチエン／ポリエチレンテレフタレ−ト／ポリエチレンの３層フィルム（スチレンガス不透過性フィルム）である。かかるＳＭＣシ−トの収納時には、フィルム４側を大気側として収納することによって、スチレンガスの放散が低下することとなる。
【００１８】
尚、ＳＭＣシ−トの製法について言えば、図２に示すように、下部キャリアフィルム供給装置１１から巻き出されたキャリアフィルム３上に、例えば不飽和ポリエステル樹脂に炭カルその他の副資材等を配合したＳＭＣ組成物１２ａをシ−ト状に載置し、この上にロ−ビングカッタ−１３にて短く切断したガラス繊維１４を振り撒く。一方、上部キャリアフィルム供給装置１５から巻き出されたキャリアフィルム４上に前記と同様のＳＭＣ組成物１２ｂをシ−ト状に載置し、両組成物１２ａ、１２ｂを重ねてキャリアフィルム３、４に挟み込み、これを巻き取り装置１６にて巻き取る製法が一般的である。
【００１９】
図３はＳＭＣシ−トを収納する第２発明の全体図であり、２０はＳＭＣシ−トの収納箱であり、収納箱１０内にスチレンガス不透過性フィルムをもって構成した袋或いは収納箱の内面にかかるフィルム２１を積層したものである。そして、前記のＳＭＣシ−ト１をつづらおりに重ねて収納し、最上位にスチレンガス不透過性フィルム４が来るように裁断し、このフィルム４と収納箱２０内のフィルム２１を接着して両フィルム内にＳＭＣシ−ト１を内包する方法である。
【００２０】
ＳＭＣシ−トを収納する第３発明については特に図示しないが、図２における巻き取り装置１６によって巻き取られたＳＭＣシ−トは最外面がスチレンガス不透過性フィルム４にて覆われており、これによってＳＭＣシ−トを内包する方法である。
【産業上の利用可能性】
【００２１】
本発明は以上の通りであって、スチレンガスの放散の少ない比較的安価なＳＭＣシ−ト及びその収納法を提供できたものであり、付随効果として水蒸気の侵入もなく、その利用範囲は極めて広い。
【図面の簡単な説明】
【００２２】
【図１】図１は第１発明におけるＳＭＣシ−トの断面図である。
【図２】図２は第１発明のＳＭＣシ−トの製法を示す全体図である。
【図３】図３は第２発明におけるＳＭＣシ−ト収納法を示す断面図である。
【符号の説明】
【００２３】
１‥ＳＭＣシ−ト、
２‥ＳＭＣ、
３‥キャリアフィルム（スチレンガス透過性フィルム）、
４‥キャリアフィルム（スチレンガス不透過性フィルム）、
１６‥巻き取り装置、
２０‥ＳＭＣシ−ト収納箱、
２１‥スチレンガス不透過性フィルム。
【図１】
2007175880.tif 000003
【図２】
2007175880.tif 000004
【図３】
2007175880.tif 000005